(57)【要約】【課題】  眼鏡の重心位置を検出することによって、装用者に適した眼鏡を容易に処方できる眼鏡測定装置を提供する。【解決手段】  眼鏡のフィッティング状態を検出するための眼鏡測定装置であって、眼鏡を支持する支持手段と、眼鏡の少なくとも２箇所における重量を測定する測定手段と、測定手段によって検出された重量に基づいて、眼鏡の重心位置を取得する取得手段と、を備える。測定手段は、眼鏡の前方部位の位置、及び前記眼鏡の後方部位の位置の少なくとも２箇所における重量を測定する。【選択図】      図２
2019028290.tif 000002
【特許請求の範囲】
【請求項１】
眼鏡のフィッティング状態を検出するための眼鏡測定装置であって、
前記眼鏡を支持する支持手段と、
前記眼鏡の少なくとも２箇所における重量を測定する測定手段と、
前記測定手段によって検出された前記重量に基づいて、前記眼鏡の重心位置を取得する取得手段と、
を備えることを特徴とする眼鏡測定装置。
【請求項２】
請求項１の眼鏡測定装置において、
前記測定手段は、前記眼鏡の前方部位の位置、及び前記眼鏡の後方部位の位置の少なくとも２箇所における重量を測定することを特徴とする眼鏡測定装置。
【請求項３】
請求項２の眼鏡測定装置において、
前記測定手段は、前記眼鏡の前記前方部位の位置として、前記眼鏡のブリッジの位置における重量を測定するとともに、前記眼鏡の前記後方部位の位置として、前記眼鏡のモダンの位置における重量を測定することを特徴とする眼鏡測定装置。
【請求項４】
請求項３の眼鏡測定装置において、
前記測定手段は、前記眼鏡の前記モダンの位置として、少なくとも前記眼鏡の左側のモダンと及び前記眼鏡の右側のモダンとのそれぞれにおける重量を測定することを特徴とする眼鏡測定装置。
【請求項５】
請求項１〜４のいずれかの眼鏡測定装置において、
前記測定手段は、前記支持手段の位置に配置されており、
前記測定手段は、前記支持手段によって前記眼鏡を支持する位置における重量を測定することを特徴とする眼鏡測定装置。
【請求項６】
請求項１〜５のいずれかの眼鏡測定装置において、
前記取得手段は、前記眼鏡の重心位置に基づいて前記眼鏡のバランス位置を示すバランス情報を取得し、
前記バランス情報を出力する出力手段を備えることを特徴とする眼鏡測定装置。
【請求項７】
請求項１〜６のいずれかの眼鏡測定装置において、
前記眼鏡の左右のテンプルの少なくとも一方に当接し、前記左右のテンプルの少なくとも一方のテンプルの位置を移動させることによって、前記左右のテンプルの間の幅を変更させるテンプル調整手段を備えることを特徴とする眼鏡測定装置。
【請求項８】
請求項１〜７のいずれかの眼鏡測定装置において、
前記眼鏡を前傾させる前傾角調整手段を備えることを特徴とする眼鏡測定装置。
【発明の詳細な説明】
【技術分野】
【０００１】
本開示は、レンズの光学特性を測定する眼鏡測定装置に関する。
【背景技術】
【０００２】
眼鏡測定装置の一例として、レンズメータが知られている。レンズメータは、測定光をレンズに投光し、レンズを透過した測定光を受光素子で受光することによって、被検レンズの光学特性（例えば、屈折度数等）を測定する（特許文献１参照）。
【０００３】
ところで、レンズを嵌めた眼鏡（眼鏡フレーム）は、その前方の重量が後方の重量よりも重くなり、重心位置が偏る傾向にある。例えば、重心位置が前方に偏った眼鏡を装着すると、鼻に負荷がかかって痛くなる、眼鏡がずり落ちる、等の問題により装用感が悪いことがあった。このため、眼鏡のモダン部に着脱可能な重りを付加する等して、重心位置を調整する手法がとられていた（特許文献２参照）。
【先行技術文献】
【特許文献】
【０００４】
【特許文献１】特開２００８−２４１６９４号公報
【特許文献２】特開２００７−２６４２０７号公報
【発明の概要】
【発明が解決しようとする課題】
【０００５】
しかしながら、上記手法は眼鏡作製後に行うものであり、装用者にとって負荷の少ない眼鏡を予め選択して処方することはできなかった。また、上記手法は、作製者の経験によって重心位置が調整されるものであり、調整の程度にばらつきが生じてしまうことがあった。
【０００６】
本開示は、上記従来技術に鑑み、眼鏡の重心位置を検出することによって、装用者に適した眼鏡を容易に処方できる眼鏡測定装置を提供することを技術課題とする。
【課題を解決するための手段】
【０００７】
上記課題を解決するため、本開示は以下の構成を備えることを特徴とする。
【０００８】
（１）  本開示の第１態様に係る眼鏡測定装置は、眼鏡のフィッティング状態を検出するための眼鏡測定装置であって、前記眼鏡を支持する支持手段と、前記眼鏡の少なくとも２箇所における重量を測定する測定手段と、前記測定手段によって検出された前記重量に基づいて、前記眼鏡の重心位置を取得する取得手段と、を備えることを特徴とする。
【図面の簡単な説明】
【０００９】
【図１】眼鏡を示す図である。
【図２】眼鏡測定装置の概略構成図である。
【図３】眼鏡測定装置における光学系を示す図である。
【図４】眼鏡測定装置の斜視図である。
【図５】眼鏡測定装置の右側面図である。
【図６】眼鏡測定装置の左側面図である。
【図７】眼鏡測定装置の正面図である。
【図８】眼鏡測定装置の背面図である。
【図９】眼鏡測定装置における制御系を示す図である。
【図１０】眼鏡の重心位置を説明する図である。
【図１１】バランス情報の一例を示す図である。
【図１２】装用者が眼鏡を装用した装用状態を示す図である。
【図１３】角膜頂点距離と屈折力の関係を示す図である。
【発明を実施するための形態】
【００１０】
＜概要＞
以下、本開示の実施形態を図面に基づいて説明する。なお、本開示において符号に付されるＬ及びＲは、それぞれ左用及び右用を示すものである。また、本開示における平行とは、完全に平行な状態、及び略平行な状態を含む。また、本開示における垂直とは、完全に垂直な状態及び略垂直な状態を含む。また、本開示における同一とは、完全に同一な状態、及び略同一な状態を含む。なお、以下の＜＞にて分類された項目は、独立または関連して利用され得る。
【００１１】
なお、本開示における眼鏡の前方と後方、及び上方と下方は、装用者が眼鏡を装用した状態を基準とした方向である。すなわち、眼鏡の前方とはリムが位置する側であり、眼鏡の後方とはモダンが位置する側である。また、眼鏡の上方とはリムの上端側であり、眼鏡の下方とはリムの下端側である。また、本開示における眼鏡測定装置については、その奥行方向（前後方向）をＺ方向、奥行方向に垂直な平面上の水平方向（左右方向）をＸ方向、奥行方向に垂直な平面上の鉛直方向（上下方向）をＹ方向として説明する。
【００１２】
例えば、本実施例における眼鏡測定装置（例えば、眼鏡測定装置１）は、眼鏡（例えば、眼鏡Ｆ）のフィッティング状態を検出する。また、例えば、眼鏡測定装置は、レンズ（例えば、レンズＬＥ）の光学特性を測定する。なお、レンズの光学特性は、球面度数Ｓ、柱面度数Ｃ、乱視軸角度Ａ、プリズム量Δ等であってもよい。
【００１３】
例えば、眼鏡測定装置は、レンズ測定手段（例えば、測定光学系１０）を備える。また、例えば、眼鏡測定装置は、支持手段（例えば、眼鏡支持ユニット３）を備える。また、例えば、眼鏡測定装置は、測定手段（例えば、測定ユニット４）を備える。また、例えば、眼鏡測定装置は、取得手段（例えば、制御部６０）を備える。また、例えば、眼鏡測定装置は、駆動部（例えば、駆動部５）を備える。また、例えば、眼鏡測定装置は、調整手段（例えば、前傾角調整機構５ｂ、テンプル調整ユニット１００）を備える。
【００１４】
例えば、レンズ測定手段は、調整手段によって装用状態が再現された眼鏡のレンズ特性を測定する。例えば、レンズ測定手段は、測定光をレンズに投光し、レンズ及び指標板（例えば、指標板１３）を経由した測定光を受光素子（例えば、受光素子１４）で受光することによって、レンズの光学特性を測定する構成であってもよい。例えば、レンズ測定手段としては、少なくとも受光素子と光源（例えば、光源１１）とを備えていればよい。この場合、例えば、レンズ測定手段は、指標板を備えていてもよい。また、例えば、レンズ測定手段は、コンデンサレンズ（例えば、コンデンサレンズ１２）を備えていてもよい。
【００１５】
例えば、支持手段は眼鏡を支持する。例えば、支持手段は、眼鏡を少なくとも２箇所以上で支持する。例えば、この場合、支持手段は、眼鏡の前方部位の位置と、眼鏡の後方部位の位置と、を含む２箇所以上を支持する構成であってもよい。例えば、眼鏡の前方部位の位置とは、装用者が眼鏡を装用した状態の中心位置よりも前方の位置であればよい。すなわち、眼鏡の前方部位の位置は、眼鏡のブリッジ（例えば、ブリッジＦＢ）やリム（例えば、リムＦＲ）等であってもよい。また、例えば、眼鏡の後方部位の位置とは、装用者が眼鏡を装用した状態の中心位置よりも後方の位置であればよい。すなわち、眼鏡の後方部位の位置は、眼鏡のテンプル（例えば、テンプルＦＴ）やモダン（例えば、モダンＦＭ）等であってもよい。
【００１６】
例えば、支持手段の位置には測定手段が配置されていてもよい。すなわち、測定手段は支持手段と兼用され、一体的に設けられてもよい。もちろん、測定手段は、支持手段とは別に設ける構成であってもよい。なお、例えば、測定手段としては、重量を測定することが可能な測定センサ（例えば、測定センサ４ａ、測定センサ４ｂ、及び測定センサ４ｃ）を用いることができる。例えば、このようなセンサは、圧力センサであってもよい。また、例えば、このようなセンサは、重量センサであってもよい。例えば、眼鏡の重量を測定する測定手段が、眼鏡を支持する支持手段の位置に配置されていることによって、操作者は簡易な構成で眼鏡を支持する位置における眼鏡の重量を取得することができる。
【００１７】
＜測定手段＞
例えば、測定手段は、眼鏡の少なくとも２箇所（例えば、２箇所、３箇所、４箇所等）における重量を測定する。例えば、この場合、測定手段は、眼鏡の前方部位の位置、及び眼鏡の後方部位の位置の少なくとも２箇所における重量を測定する構成であってもよい。なお、眼鏡の前方部位の位置としては、眼鏡のブリッジの位置における重量を測定してもよい。この場合、ブリッジの位置はブリッジ部分のいずれの位置であってもよく、ブリッジの中央でもよいし、ブリッジの端でもよい。また、眼鏡の後方部位の位置としては、眼鏡のモダンの位置における重量を測定してもよい。この場合、モダンの位置は、モダン部分のいずれの位置であってもよく、モダンの中央でもよいし、モダンの端でもよい。
【００１８】
なお、例えば、測定手段は、眼鏡のモダンの位置として、眼鏡の左側のモダンと、眼鏡の右側のモダンと、のそれぞれにおける重量を測定する構成としてもよい。また、測定手段は、眼鏡のモダンの位置として、眼鏡の左側のモダンと、眼鏡の右側のモダンと、のいずれか一方の位置における重量を測定する構成でもよい。例えば、この場合には、眼鏡を概ね左右対称とみなし、左右のモダンのうちの一方の重量と、左右のモダンのうちの他方の重量と、を略同一としてもよい。これによって、眼鏡のブリッジの位置における重量とともに、眼鏡の右側のモダンの重量と左側のモダンの重量を取得し、３点の重量から眼鏡全体の重心をより正確に求めるようにしてもよい。
【００１９】
＜取得手段＞
例えば、取得手段は、測定手段に検出された重量に基づいて、眼鏡の重心位置を取得する。例えば、取得手段は、眼鏡の重心位置を取得した後に、重心位置に基づいて眼鏡のバランス情報を取得してもよい。例えば、バランス情報とは、眼鏡のバランスの位置を示す情報であってもよい。この場合には、例えば、バランス情報は、眼鏡のバランス位置を含んでいてもよい。また、例えば、バランス情報は、眼鏡の理想的なバランス位置を含んでいてもよい。また、例えば、バランス情報は、眼鏡の平均的なバランス位置を含んでいてもよい。
【００２０】
なお、例えば、眼鏡測定装置は、眼鏡のバランス情報を出力する出力手段（例えば、ディスプレイ７２）を備えていてもよい。例えば、出力手段は、ディスプレイ等に表示することでバランス情報を出力する構成でもよい。また、例えば、出力手段は、プリンタ等を用いて印刷することでバランス情報を出力する構成でもよい。また、例えば、出力手段は、バランス情報をデータとして外部メモリ等に出力する構成でもよい。これによって、操作者は、眼鏡の重心位置やバランス等を容易に判断できるようになる。
【００２１】
例えば、測定手段が眼鏡の少なくとも２箇所以上における重量を測定し、取得手段が重量に基づいて眼鏡の重心位置を取得することによって、操作者は、眼鏡全体の重心を求めることができ、眼鏡の重心位置やバランス等を調整しやすくなる。また、例えば、操作者は、眼鏡の重心から装用者に対する眼鏡のフィッティング状態を容易に判断することができ、装用者が所持する眼鏡の重心位置を調整したり、装用者に適した重心位置の眼鏡を処方したりすることができるようになる。
【００２２】
＜調整手段＞
例えば、調整手段は、眼鏡の変形と眼鏡の前傾角度との少なくともいずれかを調整し、眼鏡が装用者に装用された装用状態を再現する。もちろん、調整手段は、眼鏡の変形及び前傾角度を自動的に調整する構成でもよいし、手動で調整する構成でもよい。例えば、自動で調整する場合には、装用者の頭幅情報を取得するための頭幅取得手段（例えば、制御部６０）を設けてもよい。また、例えば、自動で調整する場合には、眼鏡の前傾角度を取得するための前傾角取得手段（例えば、制御部６０）を設けてもよい。例えば、手動で調整する場合には、調整手段に目盛等を設け、操作者が目盛に基づいて眼鏡の変形や前傾角度を調整してもよい。例えば、このような構成であることによって、操作者は、装用者が眼鏡を装用した装用状態を再現して、眼鏡のレンズ特性を測定することができる。従って、装用状態に近く、より精度の良い測定結果を得ることができる。
【００２３】
＜前傾角調整手段＞
例えば、調整手段は、眼鏡の前方部位の位置、及び眼鏡の後方部位の位置の少なくともいずれかの位置を上下方向に移動させることによって、前傾角度を変更する前傾角調整手段（例えば、前傾角調整機構５ｂ）を備える。例えば、前傾角度とは、装用者が眼鏡を装用した状態における眼鏡の傾斜角度である。例えば、前傾角調整手段は眼鏡を前傾させる。これによって、装用者が眼鏡を装用した状態における眼鏡の傾斜角度（すなわち、眼鏡の前傾角度）を変更することができる。例えば、前傾角度のずれはレンズ特性に大きく影響するが、装用状態を再現することにより、測定結果を精度良く得ることができる。
【００２４】
例えば、前傾角調整手段は、眼鏡の前方部位の位置、及び眼鏡の後方部位の位置、の少なくともいずれかの位置を上下方向に移動させることによって、前傾角度を変更してもよい。例えば、前傾角調整手段は、眼鏡の前方部位の位置として眼鏡のブリッジ（例えば、ブリッジＦＢ）の位置、及び眼鏡の後方部位の位置として眼鏡のテンプル（例えば、テンプルＦＴＬ、テンプルＦＴＲ）の位置の少なくともいずれかの位置を上下方向に移動させる。なお、前傾角調整手段は、眼鏡の前方部位の位置として眼鏡のブリッジの位置、眼鏡の後方部位の位置として眼鏡のモダン（例えば、モダンＦＭＬ、モダンＦＭＲ）の位置の少なくともいずれかの位置を上下方向に移動させる構成であってもよい。これによって、眼鏡の前傾角度を、装用者が眼鏡を装用した装用状態における前傾角度に変更することができる。
【００２５】
例えば、このような構成であることによって、眼鏡の前傾角度を容易な構成で変更することができる。また、例えば、このような構成であることによって、装用者が眼鏡を装用した際に、装用者の耳の位置や眼鏡の種類等で変化する眼鏡の前傾角度を再現することができる。従って、操作者は、装用者が眼鏡を装用した装用状態の前傾角度で、レンズ特性を測定することができる。
【００２６】
なお、例えば、前傾角調整手段は、眼鏡のブリッジを回転中心として、テンプルの位置を上下方向に移動させるようにしてもよい。例えば、眼鏡の装用状態では、装用者の鼻に当接したブリッジが回転中心となり、装用者の耳の高さ等によって、テンプルの位置が上下方向に変化する。このため、操作者は、眼鏡のブリッジを回転中心として前傾角度を調整することで、容易に眼鏡の前傾角度を装用状態の前傾角度に合わせることができる。
【００２７】
また、例えば、前傾角調整手段は、前傾角取得手段を備えていてもよい。例えば、前傾角取得手段は、装用者が眼鏡を装用した際の眼鏡の前傾角情報を取得する。例えば、前傾角情報としては、眼鏡装用画像解析装置等を用いて予め測定した眼鏡の前傾角度でもよい。例えば、前傾角取得手段は、このような眼鏡の前傾角度を受信するための受信部を備え、眼鏡装用画像解析装置等から送信された前傾角情報を受信する構成でもよい。また、例えば、前傾角取得手段は、操作者が入力した眼鏡の前傾角度から前傾角情報を取得する構成でもよい。
【００２８】
例えば、前傾角調整手段は、前傾角取得手段によって取得された前傾角情報に基づいて、前傾角度を変更する。これによって、操作者は、複雑な操作をすることなく、容易に眼鏡の前傾角度を装用状態の前傾角度に合わせることができる。
【００２９】
＜テンプル調整手段＞
例えば、調整手段は、眼鏡の左右のテンプル（例えば、左テンプルＦＴＬ、右テンプルＦＴＲ）の少なくとも一方に当接し、左右のテンプルの少なくとも一方のテンプルの位置を移動させることによって、左右のテンプルの間の幅を変更するテンプル調整手段（例えば、テンプル調整ユニット１００）を備える。なお、例えば、テンプル調整手段は、眼鏡の左右のモダン（例えば、左モダンＦＭＬ、右モダンＦＭＲ）の少なくとも一方に当接し、左右のモダンの少なくとも一方のモダンの位置を移動させることによって、左右のテンプルの間の幅を変更するようにしてもよい。
【００３０】
例えば、テンプル調整手段は、左右のテンプルの間の幅を一定の幅に調整することが可能な構成でもよい。この場合、一定の幅は大人の平均的な頭幅や子供の平均的な頭幅としてもよい。もちろん、左右のテンプルの間の幅は、予め一定の幅に固定された構成でもよい。また、例えば、テンプル調整手段は、左右のテンプルの間の幅を可変可能な構成でもよい。この場合には、装用者ごとの頭幅に合わせて左右のテンプルの間の幅を調整することができる。なお、例えば、左右のテンプルの間の幅を変更する、とは、幅を広げる構成、幅を狭くする構成等が挙げられる。例えば、このような構成であることによって、装用者が眼鏡を装用した際に、テンプルの間の幅が広がって変形した眼鏡の形状を再現することができる。従って、操作者は、装用者が眼鏡を装用した装用状態のテンプル間の幅で、レンズ特性を測定することができる。
【００３１】
また、例えば、テンプル調整手段は、頭幅取得手段を備えていてもよい。例えば、頭幅取得手段は、眼鏡を装用する装用者の頭幅情報を取得する。例えば、頭幅情報としては、頭幅測定器等を用いて予め測定した装用者の頭幅でもよい。例えば、頭幅取得手段は、このような装用者の頭幅を受信するための受信部を備え、頭幅測定器等から送信された頭幅情報を受信する構成でもよい。また、例えば、頭幅取得手段は、操作者が入力した装用者の頭幅から頭幅情報を取得する構成でもよい。
【００３２】
例えば、テンプル調整手段は、頭幅取得手段によって取得された頭幅情報に基づいて、左右のテンプルの少なくともいずれか一方のテンプルを左右方向に移動させる。これによって、操作者は、容易にテンプルの間の幅を装用者の頭幅に調整することができる。
【００３３】
＜実施例＞
以下、本実施例における眼鏡測定装置について説明する。図１は眼鏡Ｆ（または眼鏡フレームＦ）を示す図である。例えば、眼鏡Ｆは、ブリッジＦＢ、リムＦＲ（左リムＦＲＬ及び右リムＦＲＲ）、テンプルＦＴ（左テンプルＦＴＬ及び右テンプルＦＴＲ）、モダンＦＭ（左モダンＦＭＬ及び右モダンＦＭＲ）等を有し、左右リムのそれぞれにレンズＬＥが枠入れされている。なお、本実施例においては、眼鏡Ｆの前方と後方、及び上方と下方を、装用者が眼鏡Ｆを装用した状態を基準とした方向で説明する。すなわち、眼鏡Ｆの前方とはリムＦＲが位置する側であり、眼鏡Ｆの後方とはモダンＦＭが位置する側である。また、眼鏡Ｆの上方とはリムＦＲの上端側であり、眼鏡Ｆの下方とはリムＦＲの下端側である。
【００３４】
図２は眼鏡測定装置１の概略構成図である。例えば、眼鏡測定装置１は、測定部２と、眼鏡支持ユニット３と、測定ユニット４と、駆動部５と、を備える。例えば、測定部２は、眼鏡Ｆに枠入れされたレンズＬＥのレンズ特性（例えば、球面度数Ｓ、柱面度数Ｃ、乱視軸角度Ａ、プリズム量Δ等）を測定する際の基点となるノーズピース６を有する。また、例えば、測定部２は、後述する測定光学系１０を備える。
【００３５】
例えば、眼鏡支持ユニット３は、眼鏡Ｆを支持する。なお、本実施例においては、眼鏡支持ユニット３が、眼鏡Ｆの下方（つまり、リムＦＲの下端側）を上に向けた状態で、眼鏡Ｆを支持する。もちろん、眼鏡支持ユニット３は、眼鏡Ｆの上方（つまり、リムＦＲの上端側）を上に向けた状態で、眼鏡Ｆを支持してもよい。例えば、測定ユニット４は、眼鏡Ｆの少なくとも２箇所における重量を測定する。例えば、駆動部５は、測定部２に対して、眼鏡支持ユニット３を前後方向（Ｚ方向）、左右方向（Ｘ方向、）及び上下方向（Ｙ方向）に移動させる。また、例えば、駆動部５は、測定部２に対して、眼鏡支持ユニット３を斜め方向（ＹＺ方向）に傾斜させる。
【００３６】
＜測定光学系＞
図３は、眼鏡測定装置１における光学系を示す図である。例えば、測定光学系１０の光軸Ｌ１は、ノーズピース６の開口部７（直径８ｍｍの円形状）の平面に対して垂直に配置される。例えば、測定光学系１０は、光源１１、コリメータレンズ１２、指標板１３、受光素子１４、等を備える。例えば、光源１１はＬＥＤ（Light Emitting Diode）で構成されてもよい。例えば、コリメータレンズ１２は、光源１１から照射された測定光を光軸Ｌ１と平行（略平行も含む）にする。例えば、指標板１３は、測定部２内にある保持部材８に保持される。例えば、指標板１３には、レンズＬＥの光学特性を測定するための測定指標が形成されている。なお、測定指標の構成、及び測定指標を用いたレンズＬＥの光学特性測定については、特開２００８−２４１６９４号公報を参照されたい。例えば、受光素子１４は、ＣＣＤ（Charge Coupled Device）、あるいはＣＭＯＳ（Complementary Metal Oxide Semiconductor）で構成されてもよい。例えば、光源１１から出射された測定光は様々な方向へと拡散するが、コリメータレンズ１２を介することで光軸Ｌ１と平行に屈折され、ノーズピース６の開口部７、及び指標板１３を通過して受光素子１４に到達する。
【００３７】
図４〜図８は、眼鏡支持ユニット３、測定ユニット４、及び駆動部５を説明するための概略構成図である。図４は眼鏡測定装置１の斜視図である。図５は眼鏡測定装置１の右側面図（図２における矢印Ａ方向からみた図）である。図６は眼鏡測定装置１の左側面図（図２における矢印Ｂ方向からみた図）である。図７は眼鏡測定装置１の正面図（図２における矢印Ｃ方向からみた図）である。図８は眼鏡測定装置１の背面図（図２における矢印Ｄ方向からみた図）である。なお、図４〜図８においては、便宜上、測定部２の図示を省略している。以下、眼鏡支持ユニット３、測定ユニット４、駆動部５、について順に説明する。
【００３８】
＜眼鏡支持ユニット＞
例えば、眼鏡支持ユニット３は、眼鏡Ｆを少なくとも２箇所以上で支持する。例えば、眼鏡支持ユニット３は、基台２０と、前方支持部２１と、後方支持部２２と、を備える。例えば、基台２０には、前方支持部２１が固定されている。例えば、基台２０には、後方支持部２２が、後述するテンプル調整ユニット１００を介して設けられている。なお、後方支持部２２は、テンプル調整ユニット１００を介さず、基台２０に直接固定されてもよい。例えば、基台２０の下面にはプレート２４が取り付けられており、取付軸２７を中心として斜め方向（ＹＺ方向）に前傾あるいは後傾可能となっている。
【００３９】
例えば、前方支持部２１は、眼鏡Ｆの前方部位の位置を支持する。例えば、眼鏡Ｆの前方部位の位置とは、眼鏡ＦのブリッジＦＢやリムＦＲ等、装用者が眼鏡Ｆを装用した状態の中心位置よりも前方の位置である。例えば、本実施例では、前方支持部２１が、眼鏡ＦのブリッジＦＢを支持する場合を例に挙げる。例えば、前方支持部２１は上方を開口したコの字形状であり、眼鏡Ｆの上方（つまり、リムＦＲの上端側）を下に向けた状態で、ブリッジＦＢを載置する。もちろん、眼鏡Ｆの下方（すなわち、リムＦＲの下端側）を下に向けた状態で、前方支持部２１にブリッジＦＢを載置してもよい。
【００４０】
例えば、後方支持部２２は、眼鏡Ｆの後方部位の位置を支持する。例えば、眼鏡Ｆの後方部位の位置とは、眼鏡ＦのテンプルＦＴやモダンＦＭ等、装用者が眼鏡Ｆを装用した状態の中心位置よりも後方の位置である。例えば、本実施例では、後方支持部２２が、眼鏡ＦのモダンＦＭを支持する場合を例に挙げる。例えば、後方支持部２２は上方を開口したコの字形状であり、眼鏡Ｆの上方（つまり、リムＦＲの上端側）を下に向けた状態で、モダンＦＭを載置する。もちろん、眼鏡Ｆの下方（つまり、リムＦＲの下端側）を下に向けた状態で、後方支持部２２にモダンＦＭを載置してもよい。
【００４１】
＜測定ユニット＞
例えば、測定ユニット４は、眼鏡Ｆの前方部位の位置、及び眼鏡Ｆの後方部位の位置の少なくとも２箇所における重量を測定する。例えば、本実施例における測定ユニット４は、眼鏡Ｆの前方部位の位置として、眼鏡ＦのブリッジＦＢの位置における重量を測定するとともに、眼鏡Ｆの後方部位の位置として、眼鏡ＦのモダンＦＭの位置における重量を測定する。なお、ブリッジＦＢの位置は、ブリッジＦＢの中央やブリッジＦＢの端等、ブリッジＦＢのいずれかの位置であればよい。また、モダンＦＭの位置は、モダンＦＭの中央やモダンＦＭの端等、モダンＦＭのいずれかの位置であればよい。
【００４２】
例えば、測定ユニット４は、上述した眼鏡ＦのモダンＦＭの位置として、少なくとも眼鏡Ｆの左モダンＦＭＬと右モダンＦＭＲとのそれぞれにおける重量を測定する。すなわち、本実施例における測定ユニット４は、眼鏡ＦにおけるブリッジＦＢと、左モダンＦＭＬと、右モダンＦＭＲと、の３箇所において、眼鏡Ｆの重量を測定する。例えば、左モダンＦＭＬにおける重量は、左モダンＦＭＬの中央や左モダンＦＭＬの端等、左モダンＦＭＬのいずれかの位置であればよい。同様に、例えば、右モダンＦＭＲにおける重量は、右モダンＦＭＲの中央や右モダンＦＭＲの端等、右モダンＦＭＲのいずれかの位置であればよい。なお、眼鏡ＦのモダンＦＭにおいて重量を測定する位置は、左モダンＦＭＬと右モダンＦＭＲとのそれぞれで異なる位置であってもよいが、左モダンＦＭＬと右モダンＦＭＲとのそれぞれで対称な位置であることが好ましい。
【００４３】
例えば、本実施例における測定ユニット４は、重量を測定することが可能な測定センサ４ａ、測定センサ４ｂ、及び測定センサ４ｃで構成される。例えば、測定センサ４ａは、眼鏡支持ユニット３における前方支持部２１の位置に配置される。これにより、測定センサ４ａは、眼鏡ＦのブリッジＦＢの位置における重量を測定することができる。また、例えば、測定センサ４ｂと測定センサ４ｃは、眼鏡支持ユニット３における後方支持部２２の位置に配置される。これにより、測定センサ４ｂと測定センサ４ｃは、眼鏡ＦのモダンＦＭの位置における重量を測定することができる。なお、本実施例においては、測定センサ４ｂが眼鏡Ｆの左モダンＦＭＬの位置における重量を測定し、測定センサ４ｃが眼鏡Ｆの右モダンＦＭＲの位置における重量を測定する。すなわち、例えば、これらの測定センサは、眼鏡支持ユニット３の位置に配置され、眼鏡支持ユニット３が眼鏡Ｆを支持する位置において、眼鏡Ｆの重量を測定することができる。
【００４４】
例えば、重量を測定することが可能な測定センサ（すなわち、測定センサ４ａ、測定センサ４ｂ、及び測定センサ４ｃ）としては、圧力センサを用いることができる。例えば、圧力センサは、外部からの圧力を検知すると、これによって変化した電気抵抗値を電圧値に変換する。例えば、眼鏡Ｆの重量は、圧力センサが検出した電圧値から求められる。この場合には、電圧値を重量に変換するため演算式や換算表（テーブル）等が後述するメモリ７５に記憶されていてもよい。例えば、これらの演算式や換算表は、予め実験やシミュレーション等により設定してもよい。なお、上記では重量を測定することが可能な測定センサとして圧力センサを例に挙げたが、重量センサ等を用いて眼鏡Ｆの重量を直接取得する構成であってもよい。
【００４５】
＜駆動部＞
例えば、駆動部５は、測定部２に対して、眼鏡支持ユニット３を前後方向（Ｚ方向）、左右方向（Ｘ方向）、及び上下方向（Ｙ方向）に移動させるＸＹＺ移動機構５ａと、眼鏡支持ユニット３を斜め方向（ＹＺ方向）に傾斜させる前傾角調整機構５ｂと、を備える。以下、ＸＹＺ移動機構５ａと前傾角調整機構５ｂについて順に説明する。
【００４６】
＜ＸＹＺ移動機構＞
例えば、測定部２の下部にはナット部５８が固定され、Ｘ方向に伸びる送りネジ４５がナット部５８に螺合する。例えば、送りネジ４５の両端は、ベアリングを介して基台３０に連結されている。また、例えば、測定部２の下部にはボールブッシュ５９が固定され、Ｘ方向に伸びるシャフト４６がボールブッシュを貫通する。例えば、シャフト４６の両端は基台３０に連結されている。例えば、基台３０の下面にはモータ４９が取り付けられている。例えば、モータ４９の駆動軸は送りネジ４５と螺合する。
【００４７】
例えば、モータ４９を駆動させると、送りネジ４５が回転する。例えば、測定部２は固定配置されているので、ナット部５８によって送りネジ４５が送られると、送りネジ４５とともに基台３０が左右方向（Ｘ方向）に移動する。例えば、このとき、シャフト４６はボールブッシュ５９内を摺動する。例えば、眼鏡支持ユニット３は、このように基台３０を移動させることにより、測定部２に対して左右方向に移動させることができる。
【００４８】
例えば、基台３０の上面には、軸受支持部材が固定されている。例えば、軸受支持部材は、基台３０の上面前方に位置する軸受支持部材４１ｆと、基台３０の上面後方に位置する軸受支持部材４１ｂと、で構成される。例えば、軸受支持部材４１ｆにはベアリング４３が設けられ、Ｚ方向に伸びる送りネジ３５の一端がベアリング４３に連結する。例えば、軸受支持部材４１ｂにもベアリングが設けられ、これに送りネジ３５が貫通する。例えば、送りネジ３５の他端はモータ２８の駆動軸と連結する。例えば、モータ２８は軸受支持部材４１ｂに固定されている。
【００４９】
また、例えば、基台３０の上面には、ボールブッシュ支持部材４２が固定されている。例えば、ボールブッシュ支持部材４２にはボールブッシュが設けられ、Ｚ方向に伸びるシャフト３６がボールブッシュに貫通している。
【００５０】
例えば、基台４０の下面には、ナット支持部材３７と、シャフト支持部材３８と、が固定されている。例えば、ナット支持部材３７にはナット部が設けられており、このナット部は送りネジ３５と螺合する。例えば、シャフト支持部材３８にはボールブッシュが設けられており、このボールブッシュにはシャフト３６が貫通する。
【００５１】
例えば、モータ２８を駆動させると、送りネジ３５が回転する。これによって、ナット支持部材３７のナット部が送りネジ３５に送られ、ナット支持部材３７、及びナット支持部材３７が固定された基台４０が前後方向（Ｚ方向）に移動する。例えば、このとき、基台４０の移動にともなって、基台４０に固定されたシャフト支持部材３８は、シャフト３６上を摺動する。例えば、送りネジ３５がモータ２８により回転しても、ベアリング４３によって基台３０にはモータ２８の駆動が伝達されず、基台３０は前後方向（Ｚ方向）に移動しない。例えば、眼鏡支持ユニット３は、このように基台４０を移動させることにより、測定部２に対して前後方向に移動させることができる。
【００５２】
例えば、基台２５はナット部を有し、Ｙ方向に伸びる送りネジ８０がこのナット部に螺合する。また、例えば、基台２５はボールブッシュを有し、Ｙ方向に伸びるシャフト８３とシャフト８４とのそれぞれが、このボールブッシュを貫通する。例えば、送りネジ８０の一端は、基台４０に設けられたベアリングを介して、基台４０に連結される。例えば、送りネジ８０の他端は、取付板９０に設けられたベアリングを介して、取付板９０に連結される。例えば、シャフト８３の一端は、基台４０に設けられたボールブッシュを介して、基台４０に連結される。例えば、シャフト８３の他端は、取付板９１に設けられたボールブッシュを介して、取付板９１に連結される。同様に、例えば、シャフト８４の一端は、基台４０に設けられたボールブッシュを介して、基台４０に連結される。例えば、シャフト８４の他端は、取付板９２に設けられたボールブッシュを介して、取付板９２に連結される。例えば、取付板９０には、モータ９５が固定されている。例えば、モータ９５の駆動軸は、送りネジ８０と螺合する。
【００５３】
例えば、モータ９５を駆動させると、送りネジ８０が回転する。これによって、基台２５のナット部が送りネジ８０に送られるので、基台２５は上下方向（Ｙ方向）に移動する。例えば、このとき、基台２５の移動にともなって、基台２５のボールブッシュはそれぞれシャフト８３及びシャフト８４上を摺動する。例えば、送りネジ８０がモータ９５により回転しても、基台４０にはベアリングによってモータ９５の駆動が伝達されず、基台４０及び基台３０は上下方向（Ｙ方向）に移動しない。例えば、眼鏡支持ユニット３は、このように基台２５を移動させることによって、測定部２に対して上下方向に移動させることができる。
【００５４】
＜前傾角調整機構＞
例えば、前傾角調整機構５ｂは、眼鏡Ｆの前方部位の位置、及び眼鏡Ｆの後方部位の位置の少なくともいずれかの位置を上下方向に移動させることで、眼鏡Ｆの傾斜角度を変更する。例えば、本実施例における前傾角調整機構５ｂは、眼鏡Ｆの前方部位の位置として眼鏡ＦのブリッジＦＢの位置、眼鏡Ｆの後方部位の位置として眼鏡ＦのテンプルＦＴの位置、の少なくともいずれかの位置を上下方向に移動させ、眼鏡Ｆの傾斜角度を変更する。なお、眼鏡ＦのテンプルＦＴの位置には、テンプルＦＴ及びモダンＦＭの位置が含まれる。
【００５５】
例えば、前傾角調整機構５ｂにより眼鏡Ｆの傾斜角度を変更する構成としては、眼鏡ＦのブリッジＦＢを回転中心として、テンプルＦＴの位置を上下方向に移動させてもよい。あるいは、眼鏡ＦのブリッジＦＢまたはテンプルＦＴの少なくとも一方の位置を上下方向に移動させてもよい。なお、本実施例においては、前傾角調整機構５ｂを用いて、眼鏡ＦのブリッジＦＢを回転中心として、眼鏡Ｆの傾斜角度を変更する構成を例に挙げて説明する。
【００５６】
例えば、前傾角調整機構５ｂは、プレート２４、プレート２６、取付軸２７、モータ３２、等を備える。例えば、プレート２４は基台２０の下面に取り付けられており、プレート２６は基台２５の上面に取り付けられている。例えば、取付軸２７は、プレート２４と、プレート２６が有するベアリングを貫通する。例えば、取付軸２７の一端にはモータ３２が取り付けられている。例えば、モータ３２は基台２５上に固定されている。例えば、取付軸２７と、プレート２４と、は図示なきビスにより固定されている。このため、例えば、モータ３２を駆動すると、取付軸２７が回転するとともに、プレート２４が取付軸２７を中心に傾斜する。例えば、支持ユニット３が備える基台２０は、このようにして斜め方向（ＹＺ方向）に傾斜させることができる。なお、本実施例においては、基台２０に取り付けられたプレート２４、及び基台２５に取り付けられたプレート２６が前方支持部２１の真下に位置する。このため、眼鏡支持ユニット３に眼鏡Ｆを載置した状態では、眼鏡ＦのブリッジＦＢを回転中心として、基台２０が斜め方向に傾斜するとみなすことができる。
【００５７】
例えば、モータ３２の駆動方向を切り換えると、基台２０の傾斜方向が変更される。例えば、モータ３２が時計回りに回転した場合、基台２０は取付軸２７を中心として上方向（言い換えると、前方支持部２１が後方支持部２２よりも高くなる方向）に傾斜する。また、例えば、モータ３２が反時計回りに回転した場合、基台２０は取付軸２７を中心として下方向（言い換えると、前方支持部２１が後方支持部２２よりも低くなる方向）に傾斜する。なお、モータ３２の駆動方向に対する基台２０の傾斜方向は、本実施例とは異なる構成であってもよい。例えば、このように基台２０が傾斜することで、眼鏡支持ユニット３が眼鏡Ｆを支持した状態では、基台２０の傾斜にともない眼鏡Ｆの傾斜角度を変更することができる。
【００５８】
なお、例えば、本実施例における眼鏡測定装置１は、装用者が眼鏡Ｆを装用した際の前傾角情報を取得するための構成を備えていてもよい。例えば、この場合には、操作者が眼鏡測定装置１に設けられた操作ボタン７１から、別の装置（例えば、特開２０１５−１７９２５４号公報に記載の眼鏡装用画像解析装置等）を用いて予め測定しておいた眼鏡Ｆの前傾角度を入力する構成でもよい。また、例えば、この場合には、別の装置が取得した眼鏡Ｆの前傾角度を、眼鏡測定装置１が受信する構成でもよい。例えば、前傾角調整機構５ｂは、このようにして取得した前傾角情報に基づいて、眼鏡Ｆの前傾角度を変更する。より詳細には、例えば、後述する制御部６０が前傾角情報に基づいてモータ３２の駆動量を制御することで、基台２０を傾斜させる角度を変更し、眼鏡Ｆの前傾角度を自動的に調整する。
【００５９】
＜テンプル調整ユニット＞
例えば、本実施例における眼鏡測定装置１は、眼鏡ＦにおけるテンプルＦＴ間の幅を変更するためのテンプル調整ユニット１００を備えていてもよい。例えば、テンプル調整ユニット１００は、眼鏡Ｆにおける左テンプルＦＴＬ及び右テンプルＦＴＲの少なくとも一方に当接し、左右のテンプルの少なくとも一方のテンプルの位置を移動させることによって、左右のテンプルの間の幅Ｗを変更する。例えば、本実施例では、テンプル調整ユニット１００が、左テンプルＦＴＬと右テンプルＦＴＲの双方に当接し、左右のテンプルの双方の位置を移動させることによって、左右のテンプル間の幅を変更する場合を例に挙げる。
【００６０】
例えば、テンプル調整ユニット１００は、当接部、ガイド部５０、送りネジ部５１ａ、送りネジ部５１ｂ、送りネジシャフト５３ａ、送りネジシャフト５３ｂ、両軸モータ５４、等を備える。例えば、当接部は、眼鏡Ｆにおける後方部位の位置の少なくとも一部に当接する。なお、本実施例においては、眼鏡支持ユニット３が備える後方支持部２２が、テンプル調整ユニット１００における当接部を兼ねている。例えば、ガイド部５０は基台２０に設けられ、後方支持部２２を摺動可能に保持する。例えば、後方支持部２２には、後方支持部２２が有するナット部を介して、送りネジ部５１ａと送りネジ部５１ｂの一端がそれぞれ螺合する。例えば、送りネジ部５１ａの他端には、送りネジシャフト５３ａが固定されている。また、例えば、送りネジ部５１ｂの他端には、送りネジシャフト５３ｂが固定されている。例えば、送りネジ部５１ａは右ネジに加工され、送りネジ部５１ｂは左ネジに加工されている。例えば、両軸モータ５４には送りネジシャフト５３ａと送りネジシャフト５３ｂとが連結する。
【００６１】
例えば、両軸モータ５４を駆動させると、送りネジシャフト５３ａ及び送りネジシャフト５３ｂが回転し、これにともなって送りネジ部５１ａと送りネジ部５１ｂも回転する。このため、例えば、後方支持部２２のナット部はそれぞれの送りネジ部に送られ、後方支持部２２はガイド部５０に沿って左右方向（Ｘ方向）に摺動する。なお、送りネジ部５１ａと送りネジ部５１ｂとは、それぞれネジの回転方向が異なるため、両軸モータ５４が回転する方向を切り換えることによって、後方支持部２２が互いに近づく方向、あるいは互いに遠ざかる方向へ移動する。例えば、本実施例においては、両軸モータ５４が時計回りに回転すると、後方支持部２２が互いに遠ざかる。また、例えば、両軸モータ５４が反時計回りに回転すると、後方支持部２２が互いに近づく。もちろん、両軸モータ５４の回転方向に対する後方支持部２２の移動方向は、本実施例とは異なっていてもよい。これによって、眼鏡支持ユニット３が備える後方支持部２２間の幅Ｗ（図７及び図８参照）が変更される。すなわち、眼鏡支持ユニット３が眼鏡Ｆを支持した状態では、後方支持部２２間の幅Ｗの変更にともない、眼鏡ＦにおけるテンプルＦＴ間の幅を変更することができる。例えば、装用者が眼鏡を装用すると眼鏡の形状は変形するが、左右のテンプルの間の幅を変更することで、その変形状態を再現することができる。
【００６２】
なお、例えば、本実施例における眼鏡測定装置１は、眼鏡Ｆを装用する装用者の頭幅情報を取得するための構成を備えていてもよい。例えば、この場合には、操作者が眼鏡測定装置１に設けられた操作ボタン７１から、別の装置（例えば、頭幅測定器等）を用いて予め測定しておいた装用者の頭幅を入力する構成でもよい。また、例えば、この場合には、別の装置が取得した装用者の頭幅を、眼鏡測定装置１が受信する構成でもよい。例えば、テンプル調整ユニット１００は、このようにして取得された頭幅情報に基づいて、左右の当接部（本実施例においては後方支持部２２）の少なくともいずれか一方の当接部を左右方向に移動させる。より詳細には、例えば、後述する制御部６０が頭幅情報に基づいて両軸モータ５４の駆動量を制御することで、後方支持部２２が左右方向に移動し、後方支持部２２間の幅Ｗが自動的に調整される。
【００６３】
なお、例えば、眼鏡測定装置１が装用者の頭幅情報を取得するための構成を備える場合には、後方支持部２２に、眼鏡Ｆが装用者の頭を把持する把持力を検出するためのセンサ６５を設けてもよい。例えば、このようなセンサには、圧力センサを用いることができる。例えば、この場合には、後述する制御部６０が、圧力センサに検出された電圧値から、眼鏡Ｆが装用者の頭を把持する把持力を求める。例えば、電圧値を把持力に変換するため演算式や換算表（テーブル）等は、予め実験やシミュレーション等により後述するメモリ７５に記憶されていてもよい。例えば、これによって、装用者に適した眼鏡Ｆを処方する際に、装用者が眼鏡Ｆを装用した状態で頭にかかる把持力を参考にすることができる。
【００６４】
＜制御部＞
図９は、眼鏡測定装置１における制御系を示す図である。例えば、制御部６０には、操作ボタン７１、ディスプレイ７２、光源１１、受光素子１４、駆動部５が備えるモータ（例えば、両軸モータ５４、モータ４９、モータ２８、モータ３２、モータ９５等）、等が接続されている。また、例えば、制御部６０には、眼鏡フレーム形状測定ユニット７、及びカップ取付け機構８がそれぞれ有する図示なきモータや駆動機構等が接続されている。
【００６５】
例えば、制御部６０は、ＣＰＵ（プロセッサ）、ＲＡＭ、ＲＯＭ等を備える。例えば、ＣＰＵは、眼鏡測定装置１における各部材の駆動を制御する。また、例えば、ＣＰＵは、各種の演算処理（例えば、眼鏡Ｆの重心位置、眼鏡Ｆの把持力等）を行う。例えば、ＲＡＭは、各種の情報を一時的に記憶する。例えば、ＲＯＭには、ＣＰＵが実行するプログラム等が記憶されている。なお、制御部６０は、複数の制御部（つまり、複数のプロセッサ）によって構成されてもよい。
【００６６】
例えば、メモリ７５は、電源の供給が遮断されても記憶内容を保持できる非一過性の記憶媒体である。例えば、メモリ７５としては、ハードディスクドライブ、フラッシュＲＯＭ、及び眼鏡測定装置１に着脱可能に装着されるＵＳＢメモリ等を使用することができる。例えば、メモリ７５には、電圧値を重量に変換するため演算式あるいは換算表等が記憶される。
【００６７】
＜制御動作＞
上記の構成を備える眼鏡測定装置１について、その制御動作を説明する。例えば、眼鏡測定装置１は、眼鏡Ｆの重心位置を取得するための重心取得モードと、装用状態が再現された眼鏡Ｆのレンズ特性を測定するためのレンズ測定モードと、を備える。なお、重心取得モードとレンズ測定モードは、自動で切り換わって連続的に設定される構成でもよいし、手動で別々に設定する構成としてもよい。
【００６８】
＜重心取得モード＞
以下、重心取得モードについて詳細に説明する。まず、操作者は、眼鏡支持ユニット３の前方支持部２１及び後方支持部２２に眼鏡Ｆを載置する。例えば、前方支持部２１に設けられた測定センサ４ａは、眼鏡支持ユニット３にかかる圧力の変化を検知することにより、眼鏡ＦのブリッジＦＢにおける重量を測定する。また、例えば、後方支持部２２に設けられた測定センサ４ｂと測定センサ４ｃは、眼鏡支持ユニット３にかかる圧力の変化を検知することにより、眼鏡Ｆの左モダンＦＭＬと右モダンＦＭＲのそれぞれにおける重量を測定する。例えば、眼鏡Ｆの各部位における重量は、制御部６０のメモリ７５に記憶される。
【００６９】
例えば、制御部６０は、眼鏡ＦのブリッジＦＢ、左モダンＦＭＬ、及び右モダンＦＭＲのそれぞれにおける重量に基づいて、眼鏡Ｆの重心位置Ｇを取得する。図１０は眼鏡Ｆの重心位置Ｇを説明する図である。図１０（ａ）は眼鏡Ｆの側面図を示す。図１０（ｂ）は眼鏡Ｆの正面図を示す。図１０（ｃ）は眼鏡Ｆの斜視図を示す。なお、例えば、眼鏡Ｆの重心位置を取得する際には、リムＦＲの前面からモダンＦＭの先端までの距離Ｄ１と、左リムＦＲＬの左端から右リムＦＲＲの右端までの距離Ｄ２と、がそれぞれ必要になる。このため、操作者は、ディスプレイ７２に表示された操作ボタン７１を用いて、このような距離Ｄ１と距離Ｄ２を入力するようにしてもよい。例えば、距離Ｄ１と距離Ｄ２は、眼鏡Ｆのテンプル内側に表記された眼鏡のサイズを示す数字をもとに判断してもよいし、定規等を利用して測定してもよい。
【００７０】
例えば、眼鏡Ｆの重心位置Ｇは、眼鏡Ｆの奥行方向（図１０のＺ方向）においてバランスが取れる位置と、眼鏡Ｆの左右方向（図１０のＸ方向）においてバランスが取れる位置と、の２つの方向に対するバランス位置から求めることができる。例えば、眼鏡Ｆの奥行方向におけるバランス位置Ｍｚは、次の数式により算出することができる。
【００７１】
【数１】
2019028290.tif 000003
【００７２】
上記の数式において、Ｆ１は眼鏡ＦのブリッジＦＢにおける重量である。Ｆ２は眼鏡Ｆの左モダンＦＭＬにおける重量である。Ｆ３は眼鏡Ｆの右モダンＦＭＲにおける重量である。ｄ１は眼鏡Ｆの右リムＦＲＲからバランス位置Ｍｚまでの距離である。なお、距離ｄ１は眼鏡Ｆの左リムＦＲＬからバランス位置Ｍｚまでの距離としてもよい。
【００７３】
例えば、制御部６０は、上記の数式を計算することによって、奥行方向のバランス位置を検出することができる。すなわち、眼鏡Ｆの奥行方向に対して、眼鏡ＦをリムＦＲの方向（図１０（ａ）における矢印ａ方向）に回転させようとする力と、眼鏡ＦをモダンＦＭの方向（図１０（ａ）における矢印ｂ方向）に回転させようとする力と、が等しくなる位置が、奥行方向のバランス位置Ｍｚとして検出される。例えば、これによって、制御部６０は眼鏡Ｆの重心位置ＧにおけるＺ方向の位置を求めることができる。すなわち、眼鏡Ｆの重心位置Ｇは、そのＺ座標がＭｚとなる。
【００７４】
また、例えば、眼鏡Ｆの左右方向におけるバランス位置Ｍｘは、次の数式により算出することができる。
【００７５】
【数２】
2019028290.tif 000004
【００７６】
上記の数式において、ｄ２は眼鏡Ｆの左リムＦＲＬの左端からバランス位置Ｍｘまでの距離である。
【００７７】
例えば、制御部６０は、上記の数式を計算することによって、左右方向のバランス位置を検出することができる。すなわち、眼鏡Ｆの左右方向に対して、眼鏡Ｆを左リムＦＲＬの方向（図１０（ｂ）における矢印ｃ方向）に回転させようとする力と、眼鏡Ｆを右リムＦＲＲの方向（図１０（ｂ）における矢印ｄ方向）に回転させようとする力と、が等しくなる位置が、左右方向のバランス位置Ｍｘとして検出される。例えば、これにより、制御部６０は眼鏡Ｆの重心位置ＧにおけるＸ方向の位置座標を求めることができる。すなわち、眼鏡Ｆの重心位置Ｇは、そのＸ座標がＭｘとなる。
【００７８】
例えば、制御部６０は、上記のように取得したバランス位置Ｍｘとバランス位置Ｍｚとから、眼鏡Ｆの重心位置Ｇを求める。例えば、重心位置ＧのＸ方向における位置座標はバランス位置Ｍｘの位置であり、重心位置ＧのＺ方向における位置座標はバランス位置Ｍｚの位置である。このため、眼鏡Ｆの重心位置Ｇの位置座標は（Ｍｘ，Ｍｚ）と表すことができる。すなわち、図１０（ｃ）においては、眼鏡Ｆの奥行方向に対するバランス位置Ｍｚと、左右方向に対するバランス位置Ｍｘと、が一致する点が眼鏡Ｆの重心位置Ｇとして検出される。
【００７９】
なお、例えば、制御部６０は、眼鏡Ｆの重心位置Ｇを取得した後に、眼鏡Ｆの重心位置Ｇをディスプレイ７２に表示してもよい。この場合には、上述の数式により求められた距離ｄ１と距離ｄ２の数値を表示してもよい。また、例えば、制御部６０は、眼鏡Ｆの重心位置Ｇから求めた眼鏡Ｆのバランス情報をディスプレイ７２に表示するようにしてもよい。例えば、バランス情報としては、眼鏡Ｆのバランスの位置を示すための情報が表示される。
【００８０】
図１１はバランス情報の一例を示す図である。例えば、バランス情報としては、眼鏡Ｆを模したイラスト１２０、眼鏡Ｆのバランス位置を示すマーク１２１、眼鏡の平均的なバランス位置を示すマーク１２２、等が示される。もちろん、眼鏡Ｆの重心位置Ｇ等をバランス情報としてディスプレイ７２に表示してもよい。例えば、眼鏡の平均的なバランス位置は、眼鏡Ｆの種類（例えば、メタルフレームやセルフレーム等）ごとに、予め実験やシミュレーション等から設定されていてもよい。例えば、マーク１２２は、選択された眼鏡の種類に応じて、その平均的な位置に表示される。なお、本実施例におけるマーク１２２は、眼鏡の平均的なバランス位置を示すものとしたがこれに限定されない。例えば、マーク１２２は、眼鏡の理想的なバランス位置を示すものであってもよい。
【００８１】
例えば、このようにバランス情報を表示する場合、制御部６０は、眼鏡Ｆのバランス位置に対して、平均的なバランス位置がどれだけずれているかを数値として示してもよい。また、例えば、このようにバランス情報を表示する場合、制御部６０は、眼鏡Ｆのバランス位置と、平均的なバランス位置と、のずれ量から、眼鏡Ｆのバランス位置を移動させるか否かを判定してもよい。例えば、平均的なバランス位置を基準とした所定の範囲１２３は、バランス位置の適否を判定するための許容範囲として設定されていてもよい。例えば、バランス位置を移動させる必要があると判定された場合には、眼鏡Ｆのバランス位置を移動させることを促すための文章をディスプレイ７２に表示してもよい。
【００８２】
例えば、操作者は、バランス情報を取得することで、装用者に対して装用感のよい眼鏡を処方することができるようになる。例えば、操作者は、装用者から眼鏡が鼻からずり落ちやすいとの意見があった際に、装用者が現在装用している眼鏡に対して、上述のようにバランス情報を取得する。例えば、装用者の現在の眼鏡に対する装用感を改善する場合、操作者は、バランス情報に基づいて眼鏡に付加する重りの重さを決定してもよい。なお、眼鏡に付加する重りの重さは、現在の眼鏡のバランス位置と、平均的なバランス位置（あるいは、理想的なバランス位置）と、が一致するように、制御部６０が算出する構成でもよい。次いで、操作者は、装用者の現在の眼鏡に重りを付加し、再度バランス情報を取得する。例えば、操作者は、このような操作を繰り返すことで、現在の眼鏡におけるバランス位置と、平均的なバランス位置と、を合わせることができ、眼鏡の装用感を改善することができる。もちろん、装用者の装用感によっては、現在の眼鏡におけるバランス位置と、平均的なバランス位置と、を必ずしも一致させなくてもよい。
【００８３】
また、例えば、装用者が装用する予定の眼鏡に対する装用感を改善する場合、操作者は、装用予定の眼鏡に対して同様にバランス情報を取得する。例えば、操作者は、装用者の現在の眼鏡と、装用予定の眼鏡と、のバランス情報を比較して、装用予定の眼鏡のバランス位置が、現在の眼鏡のバランス位置よりも後方（すなわち、眼鏡のモダンＦＭ側）にある眼鏡の使用を提案してもよい。これによって、操作者は、眼鏡の装用感を考慮し、鼻からずり落ちにくい眼鏡を装用者に処方することもできる。
【００８４】
以上説明したように、例えば、本実施例における眼鏡測定装置は、眼鏡の少なくとも２箇所以上における重量を測定し、測定した重量に基づいて眼鏡の重心位置を取得する。これによって、操作者は、装用者が所持する眼鏡の重心位置を調整したり、装用者に適した重心位置の眼鏡を処方したりすることができ、装用者に対する眼鏡のフィッティング状態を容易に判断することができる。
【００８５】
また、例えば、本実施例における眼鏡測定装置は、眼鏡の前方部位の位置、及び眼鏡の後方部位の位置の少なくとも２箇所における重量を測定する。これによって、枠入れされたレンズの厚みや重さが影響する眼鏡の前方部位の位置と、眼鏡の後方部位と、の重量を取得して眼鏡全体の重心を求めることができ、眼鏡の重心位置やバランス等を調整しやすくなる。
【００８６】
また、例えば、本実施例における眼鏡測定装置は、眼鏡のモダンの位置として、眼鏡の左側のモダンと、眼鏡の右側のモダンと、のそれぞれにおける重量を測定する。これによって、眼鏡のブリッジの位置における重量とともに、眼鏡の右側のモダンの重量と左側のモダンの重量を取得することができ、３点の重量を用いて眼鏡全体の重心をより正確に求めることができる。
【００８７】
また、例えば、本実施例における眼鏡測定装置は、眼鏡の重量を測定する測定手段が、眼鏡を支持する支持手段の位置に配置されている。このため、操作者は、簡易な構成で、眼鏡を支持する位置における眼鏡の重量を取得することができる。
【００８８】
また、例えば、本実施例において、取得手段は、眼鏡の重心位置に基づいて眼鏡のバランス位置を示すバランス情報を取得してもよい。また、例えば、眼鏡測定装置は、バランス情報を出力する出力手段を備えてもよい。これによって、操作者は、眼鏡の重心位置やバランス等を容易に判断できるようになる。
【００８９】
＜レンズ測定モード＞
以下、レンズ測定モードについて詳細に説明する。図１２は装用者が眼鏡Ｆを装用した装用状態を示す図である。図１２（ａ）は装用者を正面からみた図であり、図１２（ｂ）は装用者を側面からみた図である。例えば、装用者の瞳孔位置ＰからリムＦＲの下部までの距離（すなわち、眼のＰＤ高さｈ）、装用者の左眼の瞳孔位置から右眼の瞳孔位置までの距離（すなわち、瞳孔間距離ＰＤ）、装用者の角膜頂点位置Ｋからレンズ裏面までの距離（すなわち、角膜頂点距離ＶＤ）、リムＦＲがＹ方向に対して傾斜する角度（すなわち、前傾角度θ）、等には個人差があり、装用者によって異なる。もちろん、眼鏡Ｆの形状は様々であるため、眼のＰＤ高さｈ、角膜頂点距離ＶＤ、前傾角度θ、等は眼鏡Ｆによっても変化することがある。このため、例えば、他覚検査や自覚検査等により処方値が求められ、装用者に対して球面度数Ｓが−１０Ｄのレンズを処方することが望ましいとの結果を得て作製された眼鏡であっても、上述の距離や傾斜角度が変化して、実際には−１０Ｄのレンズを眼前に置いた状態でみえていない場合がある。
【００９０】
上記について、角膜頂点距離ＶＤの変化を例に挙げて説明する。図１３は角膜頂点距離ＶＤと屈折力の関係を示す図である。図１３（ａ）はマイナスレンズの例であり、図１３（ｂ）はプラスレンズの例である。例えば、マイナスレンズＭＬを眼前に配置した状態では、角膜頂点距離ＶＤが長くなるほど（すなわち、実線のマイナスレンズＭＬから点線のマイナスレンズＭＬ側に移動するほど）、眼に入射する平行光束の焦点位置ｆは、網膜よりも奥に位置するようになる。このため、装用者がマイナスレンズＭＬを介して前方をみた場合には、実際の視力矯正が小さくなる。すなわち、例えば、−１０Ｄのレンズが枠入れされた眼鏡Ｆをかけていても、角膜頂点距離ＶＤがずれてしまうと、装用者は−１０Ｄよりも弱いレンズ（例えば、−９．５Ｄのレンズ）を通して前方をみている状態と同じになる。
【００９１】
逆に、プラスレンズＰＬを眼前に配置した状態では、角膜頂点距離ＶＤが長くなるほど（すなわち、実線のプラスレンズＰＬから点線のプラスレンズＰＬ側に移動するほど）、眼に入射する平行光束の焦点位置ｆは、網膜よりも手前に位置するようになる。このため、装用者がプラスレンズＰＬを介して前方をみた場合には、実際の視力矯正が過剰になる。すなわち、例えば、＋１０Ｄのレンズが枠入れされた眼鏡Ｆをかけていても、角膜頂点距離ＶＤがずれてしまうと、装用者は＋１０Ｄよりも強いレンズ（例えば、＋１０．５Ｄのレンズ）を通して前方をみている状態と同じになる。
【００９２】
例えば、角膜頂点距離ＶＤが変化すると、上述のように実際の屈折力が変化してしまう。このため、見え具合が良好な眼鏡Ｆを処方するためには、眼鏡Ｆを装用した装用者が、眼鏡Ｆに枠入れされたレンズＬＥを介して前方をみた場合の屈折力を取得することが望ましい。
【００９３】
例えば、本実施例における眼鏡測定装置１は、レンズ測定モードを設定することで、装用状態の屈折力を測定することができる。例えば、この場合には、装用者が眼鏡Ｆを装用して正面をみた場合に、左眼の視軸が左眼用のレンズＬＥを通過する点と、右眼の視軸が右眼用のレンズＬＥを通過する点と、のそれぞれにおける屈折力を測定する。例えば、このとき、制御部６０は、眼鏡Ｆのレンズ裏面にノーズピース６を当接させず、装用者の角膜頂点距離ＶＤに基づいてノーズピース６を配置する。もちろん、眼鏡測定装置１は、レンズＬＥの裏面にノーズピース６を当接させ、眼鏡Ｆに枠入れされたレンズＬＥの光学特性を測定することも可能である。
【００９４】
例えば、操作者は、眼鏡支持ユニット３の前方支持部２１及び後方支持部２２に眼鏡Ｆを載置する。例えば、このとき、前方支持部２１と、測定部２と、は左右方向（Ｘ方向）が同位置となるように予め設定されている。
【００９５】
次いで、操作者は、ディスプレイ７２に表示された操作ボタン７１を用いて、装用者が眼鏡Ｆを装用した状態における眼鏡装用パラメータを入力する。例えば、眼鏡装用パラメータとは、瞳孔間距離ＰＤ、眼のＰＤ高さｈ、角膜頂点距離ＶＤ、前傾角度θ、等である。なお、例えば、瞳孔間距離ＰＤは、眼鏡ＦにおけるブリッジＦＢの中央から左眼の瞳孔位置までの距離ＬＰＤと、眼鏡ＦにおけるブリッジＦＢの中央から右眼の瞳孔位置までの距離ＲＰＤと、を入力するようにしてもよい。例えば、これらの眼鏡装用パラメータは、眼鏡装用画像解析装置（例えば、特開２０１５−１７９２５４号公報参照）等を用いて、予め取得しておくことができる。
【００９６】
例えば、眼鏡装用パラメータが入力されると、制御部６０は、測定部２に対して眼鏡支持ユニット３を移動させる。例えば、制御部６０は、瞳孔間距離ＰＤに基づいて眼鏡支持ユニット３のモータ５０を駆動し、眼鏡支持ユニット３を左右方向（Ｘ方向）に移動させる。例えば、本実施例では、制御部６０が、眼鏡支持ユニット３を距離ＬＰＤだけ右方向に移動させる。これによって、装用者の左眼の視軸が左眼用のレンズＬＥを通過する点と、測定光学系１０の光軸Ｌ１と、の左右方向における位置を一致させることができる。
【００９７】
また、例えば、制御部６０は、眼のＰＤ高さｈに基づいて眼鏡支持ユニット３のモータ９５を駆動し、眼鏡支持ユニット３を上下方向（Ｙ方向）に移動させる。例えば、本実施例では、まず眼鏡支持ユニット３を下方向に移動させることで、受光素子１４が眼鏡ＦのリムＦＲの下部を含む画像を撮影する。例えば、制御部６０は、撮影された画像を画像処理（例えば、エッジ検出等）することによって、眼鏡ＦにおけるリムＦＲの下端の位置を検出する。この後、制御部６０は、眼鏡支持ユニット３を、検出したリムＦＲの下部の位置から眼のＰＤ高さｈだけ上方向に移動させる。これによって、装用者の左眼の視軸が左眼用のレンズＬＥを通過する点と、測定光学系１０の光軸Ｌ１と、の上下方向における位置を一致させることができる。
【００９８】
また、例えば、制御部６０は、角膜頂点距離ＶＤに基づいて眼鏡支持ユニット３のモータ２８を駆動し、眼鏡支持ユニット３を前後方向（Ｚ方向）に移動させる。例えば、眼鏡支持ユニット３の奥行方向は、日本において一般的に理想的な角膜頂点距離とされている１２ｍｍ（すなわち、処方値を求めた際の角膜頂点距離）に相当する位置が初期位置として設定されている。例えば、ノーズピース６の移動量は、装用者の角膜頂点距離ＶＤと、初期位置と、のずれ量に応じて設定される。例えば、装用者の角膜頂点距離ＶＤが１３ｍｍであった場合、制御部６０は、初期位置とのずれ量である１ｍｍに相当する距離（移動量）だけノーズピース６を光学的に移動させる。なお、例えば、このような光学的な移動量は、予め実験やシミュレーション等により設定されていてもよい。例えば、これによって、装用者の左眼の視軸が左眼用のレンズＬＥを通過する点からノーズピース６までの距離を、装用者の角膜頂点距離ＶＤに一致させることができる。
【００９９】
例えば、眼鏡装用パラメータが入力されると、制御部６０は、測定部２に対して眼鏡支持ユニット３を傾斜させる。例えば、制御部６０は、傾斜角度θに基づいて眼鏡支持ユニット３のモータ３２を駆動し、眼鏡ＦのブリッジＦＢを回転中心として、眼鏡支持ユニット３を斜め方向（ＹＺ方向）に傾斜させる。これによって、眼鏡支持ユニット４に載置された眼鏡Ｆの前傾角度と、装用者が眼鏡Ｆを装用した装用状態における眼鏡Ｆの前傾角度θと、を同一（または略同一）に調整することができる。
【０１００】
なお、例えば、操作者は、ディスプレイ７２に表示された操作ボタン７１を用いて、装用者の頭幅情報を入力してもよい。例えば、頭幅情報が入力されると、制御部６０は後方支持部２２間の幅Ｗを変更する。例えば、制御部６０は、装用者の頭幅に基づいてテンプル調整ユニットの両軸モータ５４を駆動し、後方支持部２２間の幅Ｗを装用者の頭幅と一致させる。例えば、このとき、制御部６０は、後方支持部２２に取り付けられた検出センサを用いて、眼鏡Ｆが装用者の頭部を把持する把持力を取得するようにしてもよい。例えば、検出された把持力はディスプレイ７２に表示される。
【０１０１】
例えば、制御部６０は、上記のように眼鏡Ｆの前傾角度θと、眼鏡Ｆが装用者の頭を把持することによる眼鏡Ｆの変形と、を調整することにより、眼鏡Ｆが装用者に装用された装用状態を再現する。なお、上記では眼鏡Ｆの前傾角度と変形の両方を調整する構成を例に挙げたが、これらのうちの少なくともいずれかを調整する構成であってもよい。
【０１０２】
例えば、制御部６０は、測定部２（測定光学系１０）の移動と、前傾角度θ及び後方支持部２２間の幅Ｗの変更と、を終えると、光源１１を点灯させて、装用状態が再現された状態における眼鏡Ｆのレンズ特性（例えば、球面度数Ｓ、柱面度数Ｃ、乱視軸角度Ａ、プリズム量Δ等）を測定する。例えば、上述のようにして測定されたレンズ特性は、眼鏡Ｆを装用した装用者が、レンズＬＥを介して前方をみた場合における装用状態の屈折力である。例えば、制御部６０は、測定したレンズ特性をディスプレイ７２に表示するとともに、メモリ７５に記憶する。
【０１０３】
例えば、制御部６０は、装用者が眼鏡Ｆを装用した装用状態における左眼の屈折力を測定し終えると、右眼の屈折力についても測定を行う。この場合には、例えば、制御部６０が、左眼の屈折力の測定後に、眼鏡支持ユニット３を瞳孔間距離ＰＤ（すなわち、距離ＬＰＤと距離ＲＰＤの和）だけ左方向に移動させる。また、制御部６０は左眼の屈折力を測定した際と同様に、眼のＰＤ高さｈ、角膜頂点距離ＶＤ、前傾角度θに基づいて測定光学系１０を移動させ、装用者が眼鏡Ｆを装用した装用状態における右眼の屈折力を取得する。
【０１０４】
以上説明したように、例えば、本実施例における眼鏡測定装置は、眼鏡の変形と、眼鏡の前傾角度と、の少なくともいずれかを調整する。これによって、操作者は、装用者が眼鏡を装用した装用状態を再現して、眼鏡のレンズ特性を測定することができる。従って、装用状態に近く、より精度の良い測定結果を得ることができる。
【０１０５】
また、例えば、本実施例における眼鏡測定装置は、眼鏡の前方部位の位置、及び前記眼鏡の後方部位の位置の少なくともいずれかの位置を上下方向に移動させる。これによって、眼鏡の前傾角度を、装用者が眼鏡を装用した装用状態における前傾角度に変更することができる。例えば、前傾角度のずれはレンズ特性に大きく影響するが、装用状態を再現することにより、測定結果を精度良く得ることができる。
【０１０６】
また、例えば、本実施例における眼鏡測定装置は、眼鏡を前傾させることによって、眼鏡の前傾角度を変更する。これによって、装用者が眼鏡を装用した際に、装用者の耳の位置や眼鏡の種類等で変化する眼鏡の前傾角度を再現することができる。従って、操作者は、装用者が眼鏡を装用した装用状態の前傾角度で、レンズ特性を測定することができる。
【０１０７】
また、例えば、本実施例における眼鏡測定装置は、眼鏡のブリッジの位置及びテンプルの位置の少なくともいずれかの位置を上下方向に移動させる。これによって、眼鏡の前傾角度を容易な構成で変更することができる。
【０１０８】
また、例えば、本実施例における眼鏡測定装置は、眼鏡のブリッジを回転中心として、眼鏡の前傾角度を変更することができる。例えば、眼鏡の装用状態では、装用者の鼻に当接したブリッジが回転中心となり、装用者の耳の高さ等によって、テンプルの位置が上下方向に変化する。このため、操作者は、容易に眼鏡の前傾角度を装用状態の前傾角度に合わせることができる。
【０１０９】
また、例えば、本実施例における眼鏡測定装置は、眼鏡の前傾角情報に基づいて、自動的に眼鏡の前傾角度を変更する。これによって、操作者は、複雑な操作をすることなく、容易に眼鏡の前傾角度を装用状態の前傾角度に合わせることができる。
【０１１０】
また、例えば、本実施例における眼鏡測定装置は、左右のテンプルの少なくとも一方のテンプルの位置を移動させることにより、左右のテンプルの間の幅を変更する。これによって、装用者が眼鏡を装用した際に、テンプルの間の幅が広がって変形した眼鏡の形状を再現することができる。従って、操作者は、装用者が眼鏡を装用した装用状態のテンプル間の幅で、レンズ特性を測定することができる。
【０１１１】
また、例えば、本実施例における眼鏡測定装置は、装用者の頭幅情報に基づいて、自動的に左右のテンプルの少なくともいずれか一方のテンプルを左右方向に移動させる。これによって、操作者は、容易にテンプルの間の幅を装用者の頭幅に調整することができる。
【０１１２】
＜変容例＞
なお、本実施例における前方支持部２１は、眼鏡Ｆの前方部位の少なくとも１箇所を支持する構成であればよく、ブリッジＦＢのみの支持に限定されない。例えば、前方支持部２１は、リムＦＲ（左リムＦＲＬ及び右リムＦＲＲ）を支持してもよい。この場合には、左リムＦＲＬを支持する前方支持部と、右リムＦＲＲを支持する前方支持部と、の２つの前方支持部を設ける構成としてもよい。もちろん、前方支持部２１は、ブリッジＦＢとリムＦＲ等、複数の箇所を支持するようにしてもよい。この場合には、ブリッジＦＢと、左リムＦＲＬと、右リムＦＲＲと、をそれぞれ支持する３つの前方支持部を設ける構成でもよいし、ブリッジＦＢと、左リムＦＲＬと、右リムＦＲＲと、を１つの前方支持部で支持する構成でもよい。
【０１１３】
なお、本実施例における後方支持部２２は、眼鏡Ｆの後方部位の少なくとも２箇所を支持する構成であればよく、モダンＦＭ（左モダンＦＭＬ及び右モダンＦＭＲ）のみの支持に限定されない。例えば、後方支持部２２は、テンプルＦＴ（左テンプルＦＴＬ及び右テンプルＦＴＲ）を支持してもよい。もちろん、後方支持部２２は、眼鏡Ｆの後方部位として、モダンＦＭとテンプルＦＴ等、複数の箇所を支持するようにしてもよい。
【０１１４】
なお、本実施例においては、眼鏡Ｆの左モダンＦＭＬと右モダンＦＭＲとのそれぞれにおいて重量を測定する構成を例に挙げたがこれに限定されない。例えば、眼鏡Ｆは概ね左右対称であるため、左右モダンのどちらか一方における重量を測定する構成としてもよい。例えば、左モダンＦＭＬのみ重量を測定した場合には、右モダンＦＭＲの重量を左モダンＦＭＬの重量と略同一とみなしてもよい。同様に、右モダンＦＭＲのみ重量を測定した場合には、左モダンＦＭＬの重量を右モダンＦＭＲの重量と略同一とみなしてもよい。
【０１１５】
また、本実施例においては、眼鏡ＦにおけるブリッジＦＢと、左モダンＦＭＬと、右モダンＦＭＲと、の３箇所に測定センサ（すなわち、測定センサ４ａ、測定センサ４ｂ、及び測定センサ４ｃ）を設ける構成を例に挙げたがこれに限定されない。このような測定センサは、眼鏡Ｆの前方部位と後方部位の位置において重量を測定することが可能であればよく、いくつ設置してもよい。
【０１１６】
なお、例えば、本実施例においては、前方支持部２１と測定センサ４ａとが一体的に形成され、これらを兼用する構成を例に挙げて説明したがこれに限定されない。例えば、前方支持部２１と測定センサ４ａはそれぞれが別に設けられていてもよい。この場合、測定センサ４ａを前方支持部２１の近傍に配置してもよい。もちろん、測定センサ４ａを前方支持部２１とは異なる位置に配置してもよい。
【０１１７】
また、例えば、本実施例においては、後方支持部２２と測定センサ４ｂ、あるいは後方支持部２２と測定センサ４ｃが一体的に形成され、これらを兼用する構成を例に挙げて説明したがこれに限定されない。例えば、測定センサ４ｂは後方支持部２２の近傍に配置してもよいし、後方支持部２２とは異なる位置に配置してもよい。同様に、例えば、測定センサ４ｃは後方支持部２２の近傍に配置してもよいし、後方支持部２２とは異なる位置に配置してもよい。
【０１１８】
なお、本実施例におけるテンプル調整ユニット１００は、後方支持部２２がテンプルの内側と外側のどちらにも当接することによって、眼鏡ＦにおけるテンプルＦＴ間の幅を変更する構成を例に挙げて説明したがこれに限定されない。例えば、テンプル調整ユニット１００は、左右テンプルの内側にのみ当接してもよいし、左右テンプルの外側にのみ当接してもよい。また、例えば、テンプル調整ユニット１００は、左右テンプルのうちの一方が内側に当接し、他方が外側に当接する構成であってもよい。
【０１１９】
また、例えば、本実施例におけるテンプル調整ユニット１００は、左右のテンプルの双方の位置を移動させることによって、眼鏡ＦにおけるテンプルＦＴ間の幅を変更する構成を例に挙げて説明したがこれに限定されない。例えば、テンプル調整ユニット１００は、左右テンプルの少なくとも一方を内側に移動する構成（例えば、テンプルが内側に押し込まれる構成等）でもよいし、左右テンプルの少なくとも一方を外側に移動する構成（例えば、テンプルが外側に引っ張られる構成等）でもよい。
【０１２０】
なお、本実施例においては、バランス情報をディスプレイ７２に表示することで出力する構成を例に挙げて説明したがこれに限定されない。例えば、バランス情報は、プリンタ等を用いて印刷することにより出力してもよいし、データとして外部メモリに出力してもよい。
【０１２１】
なお、本実施例においては、測定部２に対して眼鏡支持ユニット３を移動させることによって、測定光学系１０の光軸Ｌ１と、装用者の視軸が眼鏡ＦのレンズＬＥを通過する点と、を一致させる構成を例に挙げて説明したがこれに限定されない。例えば、眼鏡支持ユニット３を移動させるのではなく、測定部２を移動させることによって、測定光学系１０の光軸Ｌ１と、装用者の視軸が眼鏡ＦのレンズＬＥを通過する点と、を一致させる構成としてもよい。
【０１２２】
なお、本実施例においては、装用者の視軸が眼鏡ＦのレンズＬＥを通過する点において、レンズＬＥのレンズ特性を取得する構成を例に挙げて説明したがこれに限定されない。例えば、ノーズピース６に対してレンズＬＥを走査し、レンズＬＥの全体におけるレンズ特性を取得するようにしてもよい。例えば、この場合、制御部６０は、このようなレンズ特性に基づいて、レンズ特性を示すマッピング画像を取得するようにしてもよい。
【０１２３】
なお、本実施例においては、装用者が眼鏡Ｆを装用した状態における眼鏡装用パラメータに基づいて、眼鏡支持ユニット３を上下方向、左右方向、及び前後方向に移動させる構成を例に挙げて説明したがこれに限定されない。例えば、眼鏡支持ユニット３は、上下方向と左右方向にのみ移動させ、前後方向には移動させない構成であってもよい。この場合には、装用者の角膜頂点距離ＶＤを用いて、装用者が眼鏡Ｆに枠入れされたレンズＬＥを介して前方をみた場合の屈折力を計算で求めるようにしてもよい。
【符号の説明】
【０１２４】
１  眼鏡測定装置
３  眼鏡支持ユニット
４  測定ユニット
５  駆動部
５ｂ  前傾角調整機構
１０  測定光学系
２１  前方支持部
２２  後方支持部
６０  制御部
７５  メモリ
１００  テンプル調整ユニット
【図１】
2019028290.tif 000005
【図２】
2019028290.tif 000006
【図３】
2019028290.tif 000007
【図４】
2019028290.tif 000008
【図５】
2019028290.tif 000009
【図６】
2019028290.tif 000010
【図７】
2019028290.tif 000011
【図８】
2019028290.tif 000012
【図９】
2019028290.tif 000013
【図１０】
2019028290.tif 000014
【図１１】
2019028290.tif 000015
【図１２】
2019028290.tif 000016
【図１３】
2019028290.tif 000017